(57)【要約】      （修正有）【課題】音の立ち上がりが良く、綺麗な音色と、大きな音量を出せる木管楽器用タンポとそのタンポの調整方法を提供する。【解決手段】タンポ１ａは、台紙３に接着したシリコンゴム２の円板を、皮革４で袋状に覆い、その上をスキン５で包んだことを特徴とし、調整紙による高さ調整が可能な構造とした。また、タンポ１ａとキイカップとの間に、ステンレス製の穴あき円盤を介在させて、円盤の上下に挿入する調整紙により、迅速かつ精密にタンポの高さ調整を行なえるようにする。【選択図】図１
2012155302.tif 000002
【特許請求の範囲】
【請求項１】
木管楽器用のキイカップに挿入して使用するタンポにおいて、厚さが約１．０〜１．５ｍｍのシリコンゴムの円板に、厚さが約０．３ｍｍの台紙を接着し、音孔が当たる面から、厚さが約０．４〜０．６ｍｍの皮革で袋状に覆い、その上をスキン（羊腸、豚腸、その他）で包んだことを特徴とする木管楽器用タンポ。
【請求項２】
木管楽器用のキイカップに挿入して使用するタンポにおいて、厚さが約１．０〜１．５ｍｍのシリコンゴムの円板に、音孔が当たる部分の裏側に幅が約１．２ｍｍ、深さが約０．２〜０．５ｍｍの中空部分を設け、その面に厚さが約０．３ｍｍの台紙を接着し、音孔が当たる面から、厚さが約０．４〜０．６ｍｍの皮革で袋状に覆い、その上をスキン（羊腸、豚腸、その他）で包んだことを特徴とする木管楽器用タンポ。
【請求項３】
キイカップの底と請求項１および請求項２の木管楽器用タンポとの間に、厚さが約０．２〜０．５ｍｍのステンレス製の穴あき円盤を入れて、必要に応じて調整紙による高さ調整でタンポと音孔との間隙を調整することを特徴とする請求項１および請求項２の木管楽器用タンポの調整法。
【発明の詳細な説明】
【技術分野】
【０００１】  本出願は、木管楽器用タンポとそのタンポの調整法に係わる。
【背景技術】
【０００２】  木管楽器は、歌口から吹き込まれた空気の流れが管体の中の気柱を振動させて発音する楽器である。様々な音階は、キイメカニズムに収納したタンポが、音孔を開閉することによって生み出される。【０００３】  その音の立ち上がりの善し悪しは、木管楽器の生命線であるが、満月のような音の立ち上がりは、音孔に当たるときにできるタンポのワダチの全面が音孔の端部の全面を、時間的な意味で同時に閉鎖することによってもたらされる。【０００４】  従来の木管楽器用のタンポの構成は、真円に近い形に加工したフェルト、台紙、スキン（羊腸、豚腸その他）からなる。それは、フェルトの裏面に、台紙を貼り、そしてスキンでフェルトの面から袋状に包み、その端面を台紙に糊付けした構造になっている。糊付けは、スキンの張り具合でタンポの厚みが変わるので、均一な張力を保って注意深く行う。フェルトの厚さは、２〜３ｍｍ、台紙の厚さは、０．３〜０．５ｍｍくらいである。【０００５】  キイカップの内側の中央には、キイの底面に対して垂直に突出したネジ受け部がある。そのネジ受けの径に合わせてタンポの中央に穴を空け、キイカップに収納する。その後、直径１０〜１２ｍｍほどの押圧板をタンポの中央におき、ネジでキイカップに固定する。【０００６】  キイに固定されたタンポが円軌道を描きながら音孔を閉じる際、タンポの後部から順次、側部、前部に向かって音孔を段階的に閉じていくこれまでの調整法は、テコの原理で、音孔を閉じることはできるが、音孔が完全に閉鎖されるまで短い時間差があり、様々な音色が混ざってしまい、純粋な音は得られない。【０００７】    純粋な音は、タンポのワダチの全面が音孔の端部の全面を時間的な意味で同時に閉鎖するときにのみ得られる。そのために、厚みの異なる数種類のリング状の調整紙をタンポとキイカップの間に挿入したり、あるいは除去したりすることにより、タンポの高さと傾きを音孔に対して平行に接するよう調整する。【０００８】  しかし、フェルトの厚みが均一でないこと、また、音孔が完全にはフラットでないこと、その上、音孔がバフ研磨で落ち込んでいたりするため、タンポが音孔を平行に押さえても完全に閉鎖しない間隙（空間）が多々見られるのが実情である。それで、緻密な調整が施されていない楽器で大きな音を出そうとしても、音量が得られなかったり、音がひっくり返ったり、早い曲では音抜けが生じる。また、音色が不揃いとなるため表現力が低下する。【０００９】  これまで、良い音を生み出すために従来のフェルト製タンポに代わるいろいろな発明が出願されている。シリコンゴムを心材としたタンポ、金属製ユニットにシリコンゴムを収納したタンポ、合成樹脂製のハードユニットにゲル状の樹脂を収納したタンポなどである。
【先行技術文献】
【特許文献】
【００１０】
【特許文献１】特開２００５−２３４５１１
【特許文献２】特開２００３−１２２３４７
【特許文献３】実登３１３６０７２
【外国公報】
ＵＳ−Ａ１−００４７０４９３９
【発明の概要】
【発明が解決しようとする課題】
【００１１】  従来のフェルト製タンポには三つの問題点がある。一つ目の問題点は、演奏に伴う湿気でタンポが膨らみ、音孔に対する密閉性が悪化して音量が低下することである。二つ目は、微細な穴のあるスキンとフェルトが空気を通すため、音孔を十分に閉鎖した場合でも、多少空気が漏れ、音圧の一部が失われる点である。この結果、演奏者は強い息で吹くため、重要なフレーズの途中で息継ぎを余儀なくされるなど、音楽的な表現を生み出す点で問題がある。三つ目は、フェルトは徐々に弾力性を失い、音孔に対する密閉性が悪化する、という点である。【００１２】  特許文献１のタンポは、演奏中に水滴がタンポの表面に付着して、音色や音程が変化するという問題がある。【００１３】  特許文献２のタンポは、金属製ユニットにシリコンゴムを収納し、その上からフェルト状繊維で覆い、全体をスキンで包んだ構成となっている。このタンポには、金属とシリコンゴムとの間に設けた逃げ空間があり、音孔を押すときにシリコンゴムがたわむのを利用することにより音孔を閉鎖する仕組みになっている。しかし、音孔が完全な平面でない上、バフ研磨でさらに落ち込んでいたりすると、タンポと音孔との間に生じた間隙を閉鎖できないことがある。この場合、調整紙片をタンポの裏に入れて行うタンポの高さ調整では効果がなかった。調整紙片は、金属と一体となったタンポ全体を持ち上げてしまい、間隙がある部分にピンポイントで作用しないからである。この場合、逃げ空間の広く深いタンポと交換しなければならず、逃げ空間の逃げ幅を広く深くすればするほど、タンポが音孔を完全に閉鎖するまでの時間差が生じてしまう。それで、タンポのワダチの全面が音孔の端部の全面を、時間的な意味で同時に閉鎖することは困難となる。【００１４】  特許文献３や上記外国公報のハードユニットにゲル状樹脂を収納したタンポは、音孔に押しつけてから元の状態に復元するまでの速度が問題となることがある。強く押さえすぎると、同じキイをもう一度押えるときに、タンポ表面の復元が遅れて音孔との間隙が残り、タンポのワダチの全面が音孔の端部の全面を、時間的な意味で同時に閉鎖することは困難となる。【００１５】  本発明は、これら上記の問題を解決し、木管楽器において最も大切な要素である音の立ち上がりが良く、綺麗な音色と大きな音量を出せる木管楽器用タンポとそのタンポの調整方法を開発することを課題とした。
【課題を解決するための手段】
【００１６】  上記課題を解決することを目的とした第一発明の木管楽器用タンポは、厚さが約１．０〜１．５ｍｍのシリコンゴムの円板に、厚さが約０．３ｍｍの台紙を接着し、音孔が当たる面から、厚さが約０．４〜０．６ｍｍの皮革で袋状に覆い、その上をスキン（羊腸、豚腸、その他）で包んだことを特徴とする。  第二発明の木管楽器用タンポは、厚さが約１．０〜１．５ｍｍのシリコンゴムの円板に、音孔が当たる部分の裏側に幅が約１．２ｍｍ、深さが約０．２〜０．５ｍｍの中空部分を設け、その面に厚さが約０．３ｍｍの台紙を接着し、音孔が当たる面から、厚さが約０．４〜０．６ｍｍの皮革で袋状に覆い、その上をスキン（羊腸、豚腸、その他）で包んだことを特徴とする。  第三発明は、キイカップの底と第一発明、および、第二発明の木管楽器用タンポとの間に、厚さが約０．２〜０．５ｍｍのステンレス製の穴あき円盤を入れて、必要に応じて調整紙による高さ調整でタンポと音孔との間隙を調整することを特徴とする。
【発明の効果】
【００１７】  第一発明のタンポには四つの効果がある。その一つ目は、このタンポが音孔に対する密閉性の良いシリコンゴムを心材としており、その素材が空気漏れを防止するのでより音量が豊かになった。二つ目は、シリコンゴムを覆う皮革が、タンポに付着する水滴を吸収するので、音色と音程が変化する問題がなくなった。三つ目は、タンポの裏を、台紙を貼り付けた構造としたことで、音孔の落ち込みなどによるタンポと音孔との間に生じたすき間を、タンポの裏に挿入する調整紙による高さ調整で閉鎖できるようになった。この結果、上記特許公報１〜３にある新素材を用いたタンポでは成し得なかった、タンポのワダチの全面が、音孔の端部の全面を、時間的な意味で同時に閉鎖することが可能となった。この精度の高い調整が可能なタンポによって、音の立ち上がりと音の切れを劇的に変化させることができた。四つ目は、シリコンゴムの弾性特性により、タンポが音孔に当たるときのタッチがソフトになり、運指が快適で指の疲れが軽減した。【００１８】  第二発明のこのタンポは、上記第一発明のタンポの持つ四つの効果に加え、音孔に当たる部分の裏側に中空部分があるため、キイを確実に閉鎖できるので、調整の効率が大幅にアップした。【００１９】  第三発明のステンレス製の穴あき円盤には三つの効果がある。その一つ目は、そのステンレス製の穴あき円盤の下にリング状の調整紙と扇形の調整紙片を挿入して、タンポを全方向に傾動可能とすることにより、タンポと音孔が平行に接するただ一つの接点を短時間で見つけることができるようになった。二つ目として、タンポと音孔との間に生じた隙間は、タンポとそのステンレス製の穴あき円盤の間に、調整紙片を挿入して行うタンポの高さ調整で閉鎖することができた。三つ目は、キイカップの内側に輪状の凹凸がある場合、ステンレス製の穴あき円盤の上にタンポを置くことにより、タンポの変形を防止できるので、長期にわたるレスポンスの良い鳴りを保つことができた。【００２０】  試作品のタンポで調整した楽器を、プロ奏者に試奏していただいたところ、「音の切れ、レスポンス、響きが全然違う、驚きを通り越して驚愕の楽器です！本当に良いものとはこういうものなのでしょうね」、という評価をいただいた。
【図面の簡単な説明】
【００２１】
【図１】第一発明のタンポの説明図である。
【図２】第二発明のタンポの説明図である。
【図３】キイカップに、第一発明のタンポと第三発明のステンレス製の穴あき円盤を収納した図である。
【発明を実施するための形態】
【００２２】  以下、本発明の一例にもとづき実施するための形態を、図面を参照しつつ詳細に説明する。
【００２３】  図１は、第一発明のタンポ１ａの説明図であり、その構造を説明する。タンポ１ａの心材は中心をくりぬいた厚さ約１．０〜１．５ｍｍのシリコンゴム２である。この心材は、厚さ約０．３ｍｍの上質紙をくり抜いた台紙３に貼り付けてあり、その上面（音孔１１に対向する面）と側面を皮革４で覆い、さらに全面をスキン５で覆った。
【００２４】  シリコンゴム２はフェルトと違い、空気漏れを防止するので豊かな鳴りに貢献する。また、皮革４とスキン５は、タンポ１ａの表面に付着する水滴を速やかに吸収したり、放出したりするので、音色と音程の変化を完全に防止する。また、シリコンゴム２は湿気により膨らむことがないので、鳴りは常に安定する。さらに、タンポ１ａの裏側が金属や硬質樹脂などではなく、台紙３なので、タンポ１ａと音孔１１との間に生じた部分的な隙間は、タンポ１ａの裏に調整紙１２を挿入する方法で閉鎖できる。この調整紙１２の挿入により、タンポ１ａの高さをピンポイントで確実に調整できるからである。その結果、タンポ１ａのワダチの全面が、音孔１１の端面の全面を、時間的な意味で同時に閉鎖する調整法が、シリコンゴム２を用いたタンポ１ａにおいて初めて可能となった。これにより、タンポ１ａが音孔１１に触れた瞬間、切れ味のあるインパクトのある音が立ち上がる。
【００２５】  図２は、第二発明のタンポ１ｂの説明図であり、その構造を説明する。タンポ１ｂの心材は中心をくりぬいた厚さ約１．０〜１．５ｍｍのシリコンゴム２の円板で、音孔１１が当たる部分の裏側に幅が約１．２ｍｍ、深さが約０．２〜０．５ｍｍの中空部分１４を設けた。その後、中空部分１４のある面に厚さが約０．３ｍｍの上質紙をくり抜いた台紙３を貼り付け、その上面（音孔１１に対向する面）と側面を皮革４で覆い、さらに全面をスキン５で覆った。
【００２６】  タンポ１ｂは音孔１１に当たる部分の裏側に中空部分１４があるので、タンポ１ｂのワダチ全面は、音孔１１の端部の全面を容易に閉鎖できる。また、この中空部分１４がもたらす適度なクッション性により、調整紙１２を使う作業効率は大幅にアップする。
【００２７】  木管楽器は、一つのキイ６を押えると、二つ、または、三つのキイ６が連動するが、連動するキイ６を完璧に閉じるには、リペアマンにかなりの熟練が要求される。しかし、連動して動くキイ６に、第二発明のタンポ１ｂを収納することにより、タンポ１ａとタンポ１ｂのワダチの全面が、それらが対向する音孔１１の端面の全面を、ほぼ同時に確実に閉じることができ、満月のような音を立ち上げることが可能となる。
【００２８】  図３は、第一発明のタンポ１ａを、第三発明の厚さが０．２〜０．５ｍｍのステンレス製の穴あき円盤７の上に置いて、キイカップ６に収納した説明図である。
【００２９】  ステンレス製の穴あき円盤７の一つ目の効果は、その円盤７の下に挿入する調整紙と調整紙片１２により、タンポ１ａを全方向に円軌道の傾動を可能とすることである。このことにより、タンポ１ａが、音孔１１を平行に閉鎖するただ一つの接点を短時間で見つけることができる。
【００３０】  ステンレス製の穴あき円盤７の二つ目の効果は、そのステンレス製の穴あき円盤７がタンポ１ａと別個のパーツとなっていることからもたらされる。タンポ１ａの裏側が金属ではなく台紙３であることにより、音孔１１が落ち込んでいるために生じるタンポ１ａと音孔１１との間の部分的な隙間は、タンポ１ａとそのステンレス製の穴あき円盤７の間に、調整紙片１２を挿入しタンポを押し上げることによって閉鎖できる。
【００３１】  ステンレス製の穴あき円盤７の三つ目の効果は、キイカップ６の内側に輪状の凹凸１３がある場合、ステンレス製の穴あき円盤７の上にタンポ１ａを置くことにより、タンポ１ａの変形を防止できることである。そのことにより、長期にわたるレスポンスの良い鳴りを保つことができる。
【００３２】  ステンレス製の穴あき円盤７の三つの効果により、木管楽器において最も重要な、タンポ１ａのワダチの全面と、音孔１１の端部の全面を同時に閉鎖する調整が、これまで以上に効率的にできるようになった。こうしてタンポ１ａと音孔１１が全面同時に当たるその瞬間、満月のような切れ味のある音が、ポン、と立ち上がり、音色を劇的に変化させることができる。
【符号の説明】
【００３３】  １ａ、第一発明のタンポ
１ｂ、第二発明のタンポ
２、シリコンゴム
３、台紙
４、皮革
５、スキン
６、キイカップ、または、キイ
７、ステンレス製の穴あき円盤
８、押圧板
９、ネジ
１０、ネジ受け
１１、音孔
１２、調整紙、または、調整紙片
１３、輪状の凹凸
１４、中空部分
【図１】
2012155302.tif 000003
【図２】
2012155302.tif 000004
【図３】
2012155302.tif 000005